(57)【要約】  着色層を有する４心以上の光ファイバ心線を並列に配置してなる光ファイバテープ心線である。着色層の色は、配列方向の一端側に配置された光ファイバ心線の着色層を着色する第１色と、第１色とは異なる色であり、第１色で着色していない他の光ファイバ心線の着色層を着色する第２色と、からなる。第１色で着色される光ファイバ心線の本数と、第２色で着色される光ファイバ心線の本数とが異なる。
2019172214.tif 000002
【特許請求の範囲】
【請求項１】
着色層を有する４心以上の光ファイバ心線を並列に配置してなる光ファイバテープ心線であって、
前記着色層の色は、配列方向の一端側に配置された光ファイバ心線の着色層を着色する第１色と、該第１色とは異なる色であり、前記第１色で着色していない他の光ファイバ心線の着色層を着色する第２色と、からなり、
前記第１色で着色される光ファイバ心線の本数と、前記第２色で着色される光ファイバ心線の本数とが異なる、光ファイバテープ心線。
【請求項２】
前記光ファイバテープ心線に対してリボンマーキングを施す、請求項１に記載の光ファイバテープ心線。
【請求項３】
前記第２色で着色される光ファイバ心線のうち、少なくとも１本の光ファイバ心線の着色層は白色または黒色である、請求項１または請求項２に記載の光ファイバテープ心線。
【請求項４】
前記第２色は、透明色であり、
前記光ファイバテープ心線に対してリボンマーキングを施す、請求項１に記載の光ファイバテープ心線。
【請求項５】
請求項１から請求項４のいずれか１項に記載の光ファイバテープ心線が集められた光ユニット。
【請求項６】
請求項１から請求項４のいずれか１項に記載の光ファイバテープ心線を収容した光ファイバケーブル。
【発明の詳細な説明】
【技術分野】
【０００１】
本開示は、光ファイバテープ心線、光ユニット、光ファイバケーブルに関する。
本出願は、２０１８年３月５日出願の日本出願第２０１８−０３８６９５号に基づく優先権を主張し、前記日本出願に記載された全ての記載内容を援用するものである。
【背景技術】
【０００２】
特許文献１には、光ファイバ心線を並列に配置して一括被覆した光ファイバテープ心線（リボン心線ともいう）を識別するために、一括被覆の色を変更する手法が開示されている。また、特許文献２には、一括被覆にテープ番号を表示する手法が開示されている。
【先行技術文献】
【特許文献】
【０００３】
【特許文献１】特開２００３−２５５２０３号公報
【特許文献２】特開平８−２２０３９７号公報
【発明の概要】
【０００４】
本開示の光ファイバテープ心線は、着色層を有する４心以上の光ファイバ心線を並列に配置してなる光ファイバテープ心線であって、前記着色層の色は、配列方向の一端側に配置された光ファイバ心線の着色層を着色する第１色と、該第１色とは異なる色であり、前記第１色で着色していない他の光ファイバ心線の着色層を着色する第２色と、からなり、前記第１色で着色される光ファイバ心線の本数と、前記第２色で着色される光ファイバ心線の本数とが異なる。
【図面の簡単な説明】
【０００５】
【図１】図１は、本開示の一実施形態による光ファイバケーブルの一例を示す図である。
【０００６】
【図２Ａ】図２Ａは、間欠テープ心線の構造の一例を示す図である。
【０００７】
【図２Ｂ】図２Ｂは、図２ＡのＢ−Ｂ線矢視断面図である。
【０００８】
【図３】図３は、実施例１の光ファイバテープ心線を説明する図である。
【０００９】
【図４Ａ】図４Ａは、実施例２の光ファイバテープ心線を説明する図である。
【００１０】
【図４Ｂ】図４Ｂは、図４Ａとは別のリボンマーキングを加えた光ファイバテープ心線を説明する図である。
【００１１】
【図５Ａ】図５Ａは、実施例３の光ファイバテープ心線を説明する図である。
【００１２】
【図５Ｂ】図５Ｂは、図５Ａとは別の色で着色した光ファイバテープ心線を説明する図である。
【００１３】
【図６Ａ】図６Ａは、実施例４の光ファイバテープ心線を説明する図である。
【００１４】
【図６Ｂ】図６Ｂは、図６Ａとは別のリボンマーキングを加えた光ファイバテープ心線を説明する図である。
【発明を実施するための形態】
【００１５】
［本開示が解決しようとする課題］
光ファイバは、一般的に光導波路をなすガラスファイバの外側に２層の被覆層が設けられ、その外側にさらに着色層が設けられている。ガラスファイバおよび２層の被覆層からなる光ファイバは、光ファイバ素線とも呼ばれている。光ファイバ素線の外側に、さらに着色層を設けたものが、光ファイバ心線とも呼ばれている。
光ファイバケーブル中の光ファイバは、国際電気標準会議（ＩＥＣ：International Electro technical Commission）が制定する国際規格などで規定された色（青、橙、緑、茶、灰、白、赤、黒、黄、紫、桃、水の１２色）を着色層に付して識別される。
【００１６】
しかし、光ファイバケーブルの多心化等に伴い、光ファイバ心線の色分け以外の手法でも光ファイバを識別する必要が出てきている。
例えば、光ファイバ心線を並列に配置して一括被覆した光ファイバテープ心線（リボン心線ともいう）を識別するために、一括被覆にマーキング（リボンマーキングともいう）を付す、あるいは、特許文献１のように一括被覆の色を変更する、特許文献２のように一括被覆にテープ番号を表示する手法が知られている。
【００１７】
しかしながら、一括被覆上に付すリボンマーキングや特許文献２に記載のテープ番号は、そのままでは着色層の色に埋もれてしまうため、見えにくく、また、一目では判別しにくい、という問題がある。また、特許文献１に記載のような一括被覆の色の変更は、１２通りしか変更できないので、光ファイバケーブルの多心化等に対応しにくい。
【００１８】
本開示は、上述のような実情に鑑みてなされたもので、簡便な方法で識別が容易になる光ファイバテープ心線、光ユニット、光ファイバケーブルを提供することを目的とする。
【００１９】
［本開示の効果］
本開示によれば、光ファイバテープ心線を、簡便な方法で、容易に識別することができる。また、光ファイバ心線の配列方向も速やかに特定できる。
【００２０】
［本開示の実施形態の説明］
最初に本開示の実施形態の内容を列記して説明する。
本開示の一態様に係る光ファイバテープ心線は、（１）着色層を有する４心以上の光ファイバ心線を並列に配置してなる光ファイバテープ心線であって、前記着色層の色は、配列方向の一端側に配置された光ファイバ心線の着色層を着色する第１色と、該第１色とは異なる色であり、前記第１色で着色していない他の光ファイバ心線の着色層を着色する第２色と、からなり、前記第１色で着色される光ファイバ心線の本数と、前記第２色で着色される光ファイバ心線の本数とが異なる。第１色と第２色の組み合わせから光ファイバテープ心線を、簡便な方法で、容易に識別することができるとともに、光ファイバ心線の配列方向で見た色が非対称なので、光ファイバ心線の配列方向も速やかに特定できる。
【００２１】
（２）本開示の光ファイバテープ心線の一態様では、前記光ファイバテープ心線に対してリボンマーキングを施す。リボンマーキングを施すことで、識別できる光ファイバテープ心線の数を増やすことができる。
【００２２】
（３）本開示の光ファイバテープ心線の一態様では、前記第２色で着色される光ファイバ心線のうち、少なくとも１本の光ファイバ心線の着色層は白色または黒色である。第２色で着色している光ファイバ心線の一部を白色または黒色で着色すれば、識別できる光ファイバテープ心線の数を増やすことができる。
【００２３】
（４）本開示の光ファイバテープ心線の一態様では、前記第２色は、透明色であり、前記光ファイバテープ心線に対してリボンマーキングを施す。第２色を透明色にすれば、光ファイバテープ心線に対してリボンマーキングを付した場合、リボンマーキングを施すことにより、識別できる光ファイバテープ心線の数を増やすことができるとともに、光ファイバテープ心線を裏側から見てもリボンマーキングを容易に認識できる。
【００２４】
本開示の一態様に係る光ユニットは、（５）上記の光ファイバテープ心線が集められた光ユニットである。光ファイバテープ心線の識別容易な光ユニットを提供することができる。
本開示の一態様に係る光ファイバケーブルは、（６）上記の光ファイバテープ心線を収容した光ファイバケーブルである。光ファイバテープ心線の識別容易な光ファイバケーブルを提供することができる。
【００２５】
［本開示の実施形態の詳細］
以下、添付図面を参照しながら、本開示による光ファイバテープ心線、光ユニット、光ファイバケーブルの好適な実施の形態について説明する。
図１は、本開示の一実施形態による光ファイバケーブルの一例を示す図であり、図２Ａは、間欠テープ心線の構造の一例を示す図である。
【００２６】
図１に示した光ファイバケーブル１は、例えばスロットロッド１０と、光ユニット３０と、スロットロッド１０の周囲に縦添えまたは横巻きで巻かれた押さえ巻きテープ４０と、押さえ巻きテープ４０の周囲に施されたケーブル外被４１とを備えている。
スロットロッド１０は、その中心部にテンションメンバ１１が埋設されている。テンションメンバ１１は、引張りおよび圧縮に対する耐力を有する線材、例えば、鋼線やＦＲＰ（Ｆｉｂｅｒ  Ｒｅｉｎｆｏｒｃｅｄ  Ｐｌａｓｔｉｃｓ）などが用いられる。
【００２７】
また、スロットロッド１０の外周面には、ケーブル長手方向に沿って螺旋状またはＳＺ状のスロット溝１２が複数条（例えば８つ）形成されている。
詳しくは、スロットロッド１０は、テンションメンバ１１の周囲から放射状に延びた例えば８つのスロットリブ１３を有しており、スロットリブ１３がスロット溝１２を形成し、他のスロット溝１２と区分している。なお、スロットリブ１３の外周面には、スロット溝１２の位置を識別するトレーサマークを設けることも可能である。
【００２８】
各スロット溝１２には、例えば間欠テープ心線２０が収容されている。なお、間欠テープ心線２０が本開示の光ファイバテープ心線に相当する。
間欠テープ心線とは、複数本の光ファイバ心線が平行一列に配列され、隣り合う光ファイバ心線同士を連結部と非連結部により間欠的に連結してなるものである。図２Ａは間欠テープ心線を配列方向に開いた状態を、図２Ｂは図２ＡのＢ−Ｂ線矢視断面図をそれぞれ示しており、図示の間欠テープ心線２０は、１２本の光ファイバ心線Ｆ１〜Ｆ１２が平行に並べられ、２心毎に間欠的に接続されて構成されている例である。
【００２９】
図２Ｂに示すように、各光ファイバ心線Ｆ１〜Ｆ１２の周囲には、紫外線硬化樹脂等によるテープ被覆２４が設けられ、例えば２心を一体化した心線同士が連結部２２と非連結部２３により間欠的に連結されている。連結部２２では、テープ被覆２４が連結されており、非連結部２３では、隣り合うテープ被覆２４が連結されずに分離している。なお、間欠テープ心線は、２心毎に連結部と非連結部を設けなくてもよく、例えば１心毎に連結部と非連結部で間欠的に連結してもよい。
【００３０】
この間欠テープ心線に収容される各光ファイバ心線Ｆ１〜Ｆ１２は、例えば、標準外径１２５μｍのガラスファイバに被覆外径が２５０μｍ前後の被覆を施した光ファイバ素線と称されるものの外側に、さらに着色層を施したものであるが、これに限られるものでは無く、被覆外径が１３５μｍから２２０μｍの範囲、例えば、１６５μｍや２００μｍ程度の細径ファイバであってもよい。細径ファイバを用いれば、高密度実装がより一層容易になる。
【００３１】
そして、間欠テープ心線２０の番号（以下、リボン番号と称す）を容易に識別するために、各光ファイバ心線Ｆ１〜Ｆ１２の着色層を所定の色で着色するが、この点は図３以降で詳述する。
【００３２】
図１に示す光ユニット３０は、例えば１２心の間欠テープ心線２０を複数枚（例えば３６枚）集めて螺旋状に撚って形成されており、各スロット溝１２に収められる。なお、間欠テープ心線２０の撚りは、一方向の螺旋状の他、周期的に反転するＳＺ状であってもよい。間欠テープ心線２０は、一般的なテープ心線に比べて柔軟性を有しており、光ユニット３０を間欠テープ心線で構成すれば、スロット溝１２内における光ファイバ心線２１の占有率を上げることができる。なお、光ユニット３０を構成するテープ心線としては、このような間欠テープ心線を用いなくともよく、連結型のテープ心線を用いてもよい。
【００３３】
スロットロッド１０は、光ユニット３０が飛び出さないように押さえ巻きテープ４０で巻かれ、最外周形状が円形にまとめられている。
押さえ巻きテープ４０は、例えば、不織布をテープ状に形成したものや、ポリエチレンテレフタレート（ＰＥＴ）等の基材と不織布とを貼り合わせたもの等が用いられる。なお、押さえ巻きテープに吸水剤（例えば吸水パウダー）を付与してもよい。押さえ巻きテープを吸水層として機能させれば、間欠テープ心線などへの止水が可能になる。
【００３４】
押さえ巻きテープ４０の外側には、例えばＰＥ（ポリエチレン）、ＰＶＣ（ポリ塩化ビニル）等の樹脂を押し出し成型したケーブル外被４１が設けられている。
【００３５】
（実施例１）
図３は、実施例１の光ファイバテープ心線を説明する図である。
図３に示す間欠テープ心線２０は、図２Ａで説明した間欠テープ心線２０と同様に、間欠テープ心線２０の一端（図３の上側）から順に、光ファイバ心線Ｆ１〜Ｆ１２が並べられており、例えば、光ファイバ心線Ｆ１〜Ｆ３の計３本の着色層が第１色で着色され、光ファイバ心線Ｆ４〜Ｆ１２の計９本の着色層が第２色で着色されている。
【００３６】
着色層に付す第１色は、光ファイバ心線に対してＩＥＣなどで規定された色であり、例えば、青、橙、緑、茶、灰、白の６色の中から選択される。一方、実施例１では、第２色もＩＥＣなどで規定された色であるが、第１色とは異なる色、例えば、赤、黒、黄、紫、桃、水の６色の中から選択される。
【００３７】
そして、図３に示すように、間欠テープ心線２０の一端から隣接する３本の光ファイバ心線Ｆ１〜Ｆ３の着色層を第１色（例えば、青色）とし、残り９本の光ファイバ心線Ｆ４〜Ｆ１２の着色層を第２色（例えば、赤色）とし、青色の着色本数と、赤色の着色本数とは異なっている。これら青色と赤色の組み合わせをリボン番号１に設定し、他の色の組み合わせを別のリボン番号とすることで、リボン番号１の間欠テープ心線２０を容易に識別できる。また、青色の配列を光ファイバ心線Ｆ１（心線番号１）から始めるように設定すれば、光ファイバ心線Ｆ１〜Ｆ１２の配列方向も特定できる。
【００３８】
次に、光ファイバ心線Ｆ１〜Ｆ３の着色層を第１色（例えば、橙色）とし、光ファイバ心線Ｆ４〜Ｆ１２の着色層を第２色（例えば、赤色）とし、これら橙色と赤色の組み合わせをリボン番号２とする。また、光ファイバ心線Ｆ１〜Ｆ３の着色層を第１色（例えば、緑色）とし、光ファイバ心線Ｆ４〜Ｆ１２の着色層を第２色（例えば、赤色）とし、これら緑色と赤色の組み合わせをリボン番号３とする。すなわち、第２色の色を固定し、第１色を青、橙、緑、茶、灰、白色のいずれか１色に設定する。
【００３９】
以下、第１色（例えば、茶色）と第２色（例えば、赤色）の組み合わせをリボン番号４、第１色（例えば、灰色）と第２色（例えば、赤色）の組み合わせをリボン番号５、第１色（例えば、白色）と第２色（例えば、赤色）の組み合わせをリボン番号６とすれば、第１色が青、橙、緑、茶、灰、白色のいずれか１色と、第２色が赤色との組み合わせにより、６通りの光ファイバテープ心線の識別が可能になる。
【００４０】
続いて、第２色を例えば、黒色にすれば、第１色が青、橙、緑、茶、灰、白色のいずれか１色と、第２色が黒色との組み合わせにより、さらに６通りの識別（リボン番号７〜１２）が可能になる。また、第２色を例えば、黄色にすれば、第１色が青、橙、緑、茶、灰、白色のいずれか１色と、第２色が黄色との組み合わせにより、さらに６通りの識別（リボン番号１３〜１８）が可能になる。同様に、第２色を例えば、紫色、桃色、水色の順に変更すれば、それぞれ６通りの識別（リボン番号１９〜２４、リボン番号２５〜３０、リボン番号３１〜３６）が可能になる。
【００４１】
ここで、光ユニット３０から所望の間欠テープ心線２０を探しやすくするために、例えば、第２色が同じ色（例えば赤色）の間欠テープ心線２０を６枚まとめておき、スロット溝１２内に収容するのが好ましい。
詳しくは、例えば、リボン番号１の間欠テープ心線２０を選ぶ場合を想定する。このリボン番号１は、上記のように、第１色が青色で第２色が赤色の組み合わせである。このため、まず、スロット溝１２から、赤色でまとめられた間欠テープ心線２０の束を取り出す。次に、取り出した間欠テープ心線２０のうち、青色の着色心線を有した間欠テープ心線２０を探せば、リボン番号１の間欠テープ心線２０を選ぶことができる。そして、この青色の着色心線の一端を心線番号１の心線と特定して接続作業を行う。
【００４２】
なお、例えば、リボン番号２の間欠テープ心線２０を選ぶ場合には、赤色でまとめられた間欠テープ心線２０のうち、橙色の着色心線を有した間欠テープ心線２０を探せばよい。また、例えば、リボン番号７の間欠テープ心線２０を選ぶ場合には、黒色でまとめられた間欠テープ心線２０を探し、その中から青色の着色心線を有した間欠テープ心線２０を探せばよい。同様に、例えば、リボン番号１３の間欠テープ心線２０を選ぶ場合には、黄色でまとまった間欠テープ心線２０を探し、その中から青色の着色心線を有した間欠テープ心線２０を探せばよい。
【００４３】
このように、第１色と第２色との組み合わせから、計３６通りの間欠テープ心線２０を容易に識別することができる。また、光ファイバ心線Ｆ１〜Ｆ１２の配列方向（テープ幅方向）で見た色を左側と右側とで非対称にしており、第１色で着色した光ファイバ心線Ｆ１〜Ｆ３の本数と第２色で着色した光ファイバ心線Ｆ４〜Ｆ１２の本数とが同じではないので、光ファイバ心線Ｆ１〜Ｆ１２の配列方向も速やかに特定できる。
【００４４】
さらに、第１，２色をＩＥＣ等で規定された色にすれば、従前の装置等を使用して着色できる。
【００４５】
なお、実施例１では、第１色の着色本数を３本、第２色の着色本数を９本にする例で説明した。しかし、本開示はこの例に限定されず、第１色の着色本数と第２色の着色本数とが異なればよい。つまり、例えば、第１色の着色本数を５本、第２色の着色本数を７本としてもよく、第１色の着色本数を７本、第２色の着色本数を５本としてもよい。但し、第１色（または第２色）で着色した本数が１本だけだと、第１色の色を認識することが難しく、また、第１色と第２色で着色された本数が同程度であると、配列方向を特定しにくくなるので、第１色（または第２色）で着色する本数は、１２心の光ファイバテープ心線の場合、３本程度とすることが好ましい。
また、実施例１では１２心の間欠テープ心線２０の例を挙げて説明したが、本開示はこの例に限定されない。例えば、４心〜３６心の間欠テープ心線にも適用できる。一例として、光ファイバ心線Ｆ１〜Ｆ４の４心の間欠テープ心線の場合、例えば光ファイバ心線Ｆ１を青色で、光ファイバ心線Ｆ２〜Ｆ４を赤色で着色したものをテープ番号１にし、上記同様の色の組み合わせにすれば、計３６通りの４心間欠テープ心線を容易に識別することができる。
【００４６】
（実施例２）
図４Ａ、図４Ｂは、実施例２の光ファイバテープ心線を説明する図である。
実施例１では、計３６通りの識別が可能になるが、識別数をさらに増やしたい場合には、さらにマーキングを施してもよい。
【００４７】
具体的には、図４Ａに示すように、光ファイバ心線Ｆ１〜Ｆ３の着色層については、実施例１と同様に、第１色（青、橙、緑、茶、灰、白のいずれか１色）で着色し、残り８本の光ファイバ心線Ｆ４〜Ｆ１２の着色層は、第２色（赤、黒、黄、紫、桃、水のいずれか１色）で着色するが、さらに、図２Ｂで説明したテープ被覆２４にリボンマーキングＭ１（細いバー１本）を加えている。
そして、図４Ａに示すように、間欠テープ心線２０の一端から隣接する３本の光ファイバ心線Ｆ１〜Ｆ３の着色層を第１色（例えば、青色）とし、残り９本の光ファイバ心線Ｆ４〜Ｆ１２の着色層を第２色（例えば、赤色）とし、これら青色と赤色とリボンマーキングＭ１の組み合わせをリボン番号１とする。
【００４８】
同様に、実施例１の色の組み合わせに対し、リボンマーキングＭ１を組み合わせれば、さらに３６通りの識別が可能になる。
また、図４Ｂに示すように、図２Ｂで説明したテープ被覆２４にリボンマーキングＭ２（細いバー２本）を加えれば、さらに３６通りの識別が可能になる。
また、図示は省略するが、リボンマーキングＭ３（細いバー３本）を加えれば、さらに３６通りの識別が可能になる。同様に、リボンマーキングＭ４（細いバー４本）、リボンマーキングＭ５（太いバー１本）、リボンマーキングＭ６（太いバー１本と細いバー１本）の順に加えれば、さらに３６通りずつの識別数を増やせる。
【００４９】
このように、リボンマーキングＭ１−Ｍ６と組み合わせることにより、リボンマーキングなしの場合と合わせ、計２５２通りの間欠テープ心線２０を容易に識別することができる。
実施例１と同様に、光ファイバ心線Ｆ１〜Ｆ１２の配列方向が非対称なので、光ファイバ心線Ｆ１〜Ｆ１２の配列方向も速やかに特定できる。また、色が２色しかないので、リボンマーキングの種類が６種類程度であれば、リボンマーキングの識別もしやすい。
【００５０】
（実施例３）
図５Ａ、図５Ｂは、実施例３の光ファイバテープ心線を説明する図である。
実施例１では、計３６通りの識別が可能になる。しかし、識別数をさらに増やしたい場合には、第２色で着色した着色心線のうち、少なくとも１本の光ファイバ心線の着色層を白色または黒色で着色すればよい。
【００５１】
詳しくは、図５Ａに示すように、光ファイバ心線Ｆ１〜Ｆ３の着色層については、実施例１と同様に、第１色（青、橙、緑、茶、灰、白のいずれか１色）で着色し、残り８本の光ファイバ心線Ｆ４〜Ｆ１２の着色層は主に第２色（赤、黒、黄、紫、桃、水のいずれか１色）で着色するが、本実施例では、第２色で着色された光ファイバ心線の真ん中、光ファイバ心線Ｆ８（心線番号８）の着色層を白色で着色している。この場合、光ファイバ心線Ｆ８は、第２色（例えば、赤色）の光ファイバ心線Ｆ４〜Ｆ７、Ｆ９〜Ｆ１２とは異なる色になり、これら青色と赤色と白色の組み合わせをリボン番号３７とする。
【００５２】
また、第１色（例えば、橙色）と第２色（例えば、赤色）と心線番号８が白色の組み合わせをリボン番号３８、第１色（例えば、緑色）と第２色（例えば、赤色）と心線番号８が白色の組み合わせをリボン番号３９、第１色（例えば、茶色）と第２色（例えば、赤色）と心線番号８が白色の組み合わせをリボン番号４０、第１色（例えば、灰色）と第２色（例えば、赤色）と心線番号８が白色の組み合わせをリボン番号４１、第１色（例えば、白色）と第２色（例えば、赤色）と心線番号８が白色の組み合わせをリボン番号４２とすれば、第１色が青、橙、緑、茶、灰、白色のいずれか１色と、第２色が赤色と、心線番号８が白色との組み合わせにより、さらに６通りの識別が可能になる。
【００５３】
続いて、第２色を例えば、黒色にすれば、第１色が青、橙、緑、茶、灰、白色のいずれか１色と、第２色が黒色と、心線番号８が白色との組み合わせにより、さらに６通りの識別（リボン番号４３〜４８）が可能になる。また、第２色を例えば、黄色にすれば、第１色が青、橙、緑、茶、灰、白色のいずれか１色と、第２色が黄色と、心線番号８が白色との組み合わせにより、さらに６通りの識別（リボン番号４９〜５４）が可能になる。同様に、第２色を例えば、紫色、桃色、水色の順に変更すれば、それぞれ６通りの識別（リボン番号５４〜６０、リボン番号６１〜６６、リボン番号６７〜７２）が可能になる。
【００５４】
このように、実施例１の色の組み合わせに加え、第２色の着色心線中の白色との組み合わせから、実施例１よりもさらに３６通り多くの識別が可能になるため、計７２通りの間欠テープ心線２０を容易に識別することができる。
【００５５】
また、図５Ｂに示すように、例えば光ファイバ心線Ｆ８（心線番号８）を黒色で着色してもよい。この場合には、第１色が青、橙、緑、茶、灰、黒色のいずれか１色と、第２色が赤、白、黄、紫、桃、水色のいずれか１色と、心線番号８が黒色との組み合わせにより、図５Ａの場合と同様、計７２通りの間欠テープ心線２０を容易に識別することができる。
また、実施例３では、心線番号８の１本だけを白色または黒色にした例で説明したが、例えば、心線番号７，８の２本や心線番号７〜９の３本を白色または黒色にしてもよい。
【００５６】
（実施例４）
図６Ａ、図６Ｂは、実施例４の光ファイバテープ心線を説明する図である。
実施例１では、計３６通りの識別が可能になるが、識別数をさらに増やしたい場合には、実施例２のように、実施例１の色の組み合わせに対し、さらにマーキングを施すことにより実現することができる。
実施例４は、マーキングを施すことにより識別数を増やすとともに、マーキングの視認性も高めるようにした例である。
具体的には、図６Ａに示すように、光ファイバ心線Ｆ１〜Ｆ３の着色層は、第１色（青、橙、緑、茶、灰、白、赤、黒、黄、紫、桃、水のいずれか１色）で着色し、残り８本の光ファイバ心線Ｆ４〜Ｆ１２の着色層は、第２色（透明色）で着色し、図２Ｂで説明したテープ被覆２４にリボンマーキングＭ１（細いバー１本）を加えている。これら青色と透明色とリボンマーキングＭ１の組み合わせをリボン番号１とする。
【００５７】
次に、光ファイバ心線Ｆ１〜Ｆ３の着色層を第１色（例えば、橙色）で着色し、光ファイバ心線Ｆ４〜Ｆ１２の着色層を透明色で着色し、リボンマーキングＭ１を加えた組み合わせをリボン番号２とする。また、光ファイバ心線Ｆ１〜Ｆ３の着色層を第１色（例えば、緑色）で、光ファイバ心線Ｆ４〜Ｆ１２の着色層を透明色で着色し、リボンマーキングＭ１を加えた組み合わせをリボン番号３とする。
【００５８】
以下、第１色（例えば、茶色）と透明色とリボンマーキングＭ１の組み合わせをリボン番号４、第１色（例えば、灰色）と透明色とリボンマーキングＭ１の組み合わせをリボン番号５、第１色（例えば、白色）と透明色とリボンマーキングＭ１の組み合わせをリボン番号６、第１色（例えば、赤色）と透明色とリボンマーキングＭ１の組み合わせをリボン番号７、第１色（例えば、黒色）と透明色とリボンマーキングＭ１の組み合わせをリボン番号８、第１色（例えば、黄色）と透明色とリボンマーキングＭ１の組み合わせをリボン番号９、第１色（例えば、紫色）と透明色とリボンマーキングＭ１の組み合わせをリボン番号１０、第１色（例えば、桃色）と透明色とリボンマーキングＭ１の組み合わせをリボン番号１１、第１色（例えば、水色）と透明色とリボンマーキングＭ１の組み合わせをリボン番号１２とすれば、青、橙、緑、茶、灰、白、赤、黒、黄、紫、桃、水色のいずれか１色と、透明色とリボンマーキングＭ１の組み合わせにより、１２通りの識別が可能になる。
【００５９】
続いて、図６Ｂに示すように、図２Ｂで説明したテープ被覆２４にリボンマーキングＭ２（細いバー２本）を加えれば、青、橙、緑、茶、灰、白、赤、黒、黄、紫、桃、水色のいずれか１色と、透明色との組み合わせにより、さらに１２通りの識別が可能になる。
また、図示は省略するが、リボンマーキングＭ３（細いバー３本）を加えれば、青、橙、緑、茶、灰、白、赤、黒、黄、紫、桃、水色のいずれか１色と、透明色との組み合わせにより、さらに１２通りの識別が可能になる。同様に、リボンマーキングＭ４（細いバー４本）、リボンマーキングＭ５（太いバー１本）、リボンマーキングＭ６（太いバー１本と細いバー１本）の順に加えれば、さらに１２通りずつの識別数を増やせる。
【００６０】
このように、リボンマーキングＭ１−Ｍ６との組み合わせから、リボンマーキングなしの場合と合わせ、計８４通りの間欠テープ心線２０を容易に識別することができる。なお、第２色が着色されていると、リボンマーキングＭ１−Ｍ６が識別しにくいこともあるが、実施例４では第２色を透明色にしているので、リボンマーキングＭ１−Ｍ６を付した場合、間欠テープ心線２０を裏側から見てもリボンマーキングＭ１−Ｍ６を容易に認識できる。また、リボンマーキングが６種類程度であれば、リボンマーキングの識別もしやすい。
【００６１】
今回開示された実施の形態はすべての点で例示であって制限的なものではないと考えられるべきである。本開示の範囲は、上記した意味ではなく、請求の範囲によって示され、請求の範囲と均等の意味および範囲内でのすべての変更が含まれることが意図される。
【符号の説明】
【００６２】
１…光ファイバケーブル、１０…スロットロッド、１１…テンションメンバ、１２…スロット溝、１３…スロットリブ、２０…間欠テープ心線、２２…連結部、２３…非連結部、２４…テープ被覆、３０…光ユニット、４０…押さえ巻きテープ、４１…ケーブル外被、Ｆ１〜Ｆ１２…光ファイバ心線、Ｍ１，Ｍ２…リボンマーキング。
【図１】
2019172214.tif 000003
【図２Ａ】
2019172214.tif 000004
【図２Ｂ】
2019172214.tif 000005
【図３】
2019172214.tif 000006
【図４Ａ】
2019172214.tif 000007
【図４Ｂ】
2019172214.tif 000008
【図５Ａ】
2019172214.tif 000009
【図５Ｂ】
2019172214.tif 000010
【図６Ａ】
2019172214.tif 000011
【図６Ｂ】
2019172214.tif 000012
【国際調査報告】
2019172214.tif 000013
2019172214.tif 000014
2019172214.tif 000015
2019172214.tif 000016